(57)【要約】  医療装置から延在する支柱（２００）は、第１及び第２支持構造の間における医療装置の移送を円滑に実行する。第１及び第２構造のそれぞれは、取付レセプタクル（１１５、１５１）を含み、これらの取付レセプタクルは、支柱を受け入れることにより、レセプタクルの軸に沿った支柱の位置に応じて、支柱の周りにおいて緊密に又は緩く嵌合するべく構成されている。第１レセプタクル（１１５）が、支柱を保持し、且つ、第１方向において移動した際に、支柱は、第２レセプタクル（１５１）内に移動可能であり、次いで、第２レセプタクルを第２方向に移動させることにより、支柱の周りにおいて第２レセプタクルを締め付け、且つ、第１レセプタクルを緩める。第２レセプタクルが支柱を保持している際には、支柱が第１レセプタクルに進入する時点まで第１レセプタクルを第１方向に移動可能であり、且つ、次いで、第２レセプタクルを第２方向とは反対の方向に移動させることにより、支柱の周りにおいて第２レセプタクルを緩め、且つ、第１レセプタクルを締め付けることができる。
2013505064.tif 000002
【特許請求の範囲】
【請求項１】
第１支持構造と第２支持構造の間において医療装置を移送する方法であって、
第２支持構造の取付具の近傍に第１支持構造の取付具を配置するステップと、
医療装置に装着された支柱を、第１方向において、第２支持構造の取付具のレセプタクル内に移動するステップであって、支柱が第２支持構造の取付具のレセプタクル内に移動する際に、支柱が第１支持構造の取付具のレセプタクル内において保持される、ステップと、
支柱が第２支持構造の取付具のレセプタクル内に移動した後に、第２支持構造の取付具を第２方向において移動するステップであって、第２方向は、第１方向に略直交している、ステップと、
を有し、
第２支持構造の取付具を第２方向において移動するステップは、第１支持構造を支柱及び支柱に装着された医療装置から分離することができるように、支柱の周りにおける第２支持構造の取付具のレセプタクルの嵌合を締め付け、且つ、支柱の周りにおける第１支持構造の取付具のレセプタクルの嵌合を緩めることを特徴とする方法。
【請求項２】
第２支持構造の取付具との関係における第２方向における支柱の運動を防止するべく、第２支持構造の取付具のレセプタクル内において支柱を固定するステップを更に有することを特徴とする請求項１に記載の方法。
【請求項３】
第２支持構造の取付具のレセプタクル内において支柱を固定するステップは、第２支持構造の取付具に対して支柱上のナットを締め付けるステップを有することを特徴とする請求項２に記載の方法。
【請求項４】
第２方向において第２支持構造の取付具を移動するステップは、
第２支持構造の取付具のレセプタクル内において支柱を固定する前に、支柱の周りにおける第２支持構造の取付具のレセプタクルの嵌合を締め付けるべく、第２方向において第１距離にわたって第２支持構造の取付具を移動するステップと、
支柱の周りにおける第１支持構造の取付具のレセプタクルの嵌合を緩めるべく、更に第２方向において第２距離にわたって第２支持構造の取付具を移動するステップと、
を有することを特徴とする請求項２に記載の方法。
【請求項５】
第１支持構造はカートを有し、第１及び第２支持構造の取付具を配置するステップは、カートを第２支持構造の近傍に転動させるステップを有することを特徴とする請求項１に記載の方法。
【請求項６】
第２支持構造は患者テーブルのレールを有することを特徴とする請求項５に記載の方法。
【請求項７】
第１及び第２支持構造の取付具を配置するステップは、第１支持構造の取付具のレセプタクル内の開口部が第２支持構造の取付具のレセプタクル内の開口部の高さからオフセットされた高さに位置するように、第１及び第２支持構造のいずれか又は両方の取付具を第２方向に略平行な方向に移動するステップを有することを特徴とする請求項１に記載の方法。
【請求項８】
第１方向は水平方向であることを特徴とする請求項１に記載の方法。
【請求項９】
第２方向は垂直方向であることを特徴とする請求項１に記載の方法。
【請求項１０】
支柱が、第２構造の取付具の前記レセプタクル内に留まりつつ、第１支持構造の取付具のレセプタクルから出るように、第１支持構造の取付具を第１方向とは反対の方向に移動することにより、第１支持構造を支柱及び該支柱に装着された医療装置から分離するステップを更に有することを特徴とする請求項１に記載の方法。
【請求項１１】
支柱が第１支持構造の取付具のレセプタクルに進入するように、第１支持構造の取付具を第１方向において移動して戻すステップと、
支柱が第１支持構造の取付具のレセプタクルに進入した後に、第２支持構造の取付具を第３方向において移動するステップであって、第３方向は第２方向の反対である、ステップと、
を更に有し、
第２支持構造の取付具を第３方向において移動するステップは、第１支持構造の取付具が支柱及び該支柱に装着された医療装置を第２支持構造から分離することができるように、支柱の周りにおける第２支持構造の取付具のレセプタクルの嵌合を緩め、且つ、支柱の周りにおける第１支持構造の取付具のレセプタクルの嵌合を締め付けることを特徴とする請求項１０に記載の方法。
【請求項１２】
第２方向における第２支持構造の取付具との関係における支柱の移動を防止するべく、支柱及び該支柱に装着された医療装置から第１支持構造を分離する前に第２支持構造の取付具のレセプタクル内において支柱を固定するステップと、
第１方向とは反対の方向において第１支持構造の取付具を移動する前に、第２支持構造の取付具のレセプタクル内における支柱の固定を解放するステップと、
を更に有することを特徴とする請求項１１に記載の方法。
【請求項１３】
第２支持構造の取付具のレセプタクル内において支柱を固定するステップは、第２支持構造の取付具に対して支柱上のナットを締め付けるステップを有することを特徴とする請求項１２に記載の方法。
【請求項１４】
第３方向において第２支持構造の取付具を移動するステップは、
第２支持構造の取付具のレセプタクル内における支柱の固定を解放する前に、支柱の周りにおける第２支持構造の取付具のレセプタクルの嵌合を緩めるべく、第３方向において第１距離にわたって第２支持構造の取付具を移動するステップと、
支柱の周りにおける第１支持構造の取付具のレセプタクルの嵌合を締め付けるべく、更に第３方向において第２距離にわたって第２支持構造の取付具を移動するステップと、
を有することを特徴とする請求項１２に記載の方法。
【請求項１５】
第１方向は水平方向であることを特徴とする請求項１１に記載の方法。
【請求項１６】
第２及び第３方向は垂直方向であることを特徴とする請求項１１に記載の方法。
【請求項１７】
第１支持構造と第２支持構造の間において医療装置を移送するのに有用なシステムであって、
システムは細長い移送用の支柱を有し、
支柱は、
医療装置に対する着脱自在の装着のために適合された第１端部と、
第１直径の部分から第２直径の部分まで支柱の長手方向軸に沿ってテーパー化された第１テーパー化セグメントであって、第１直径の部分は、第２直径の部分よりも大きく、且つ、第２直径の分よりも第１端部に近接して配置されており、且つ、第２直径の部分が、第１支持構造の取付レセプタクルの半径方向の開口部を通じて第１支持構造の取付レセプタクル内に軸方向において移動すると、第１テーパー化セグメントの外側表面が第１支持構造の取付レセプタクルの内側表面に対して楔留めされるように構成された第１テーパー化セグメントと、
第３直径の部分から第４直径の部分まで長手方向軸に沿ってテーパー化された第２テーパー化セグメントであって、第３直径の部分は、第４直径の部分よりも大きく、且つ、第４直径の部分よりも第１端部に近接して配置されており、且つ、第４直径の部分が第２支持構造の取付レセプタクルの半径方向の開口部を通じて第２支持構造の取付レセプタクル内に軸方向に移動すると、第２テーパー化セグメントの外側表面が第２支持構造の取付レセプタクルの内側表面に対して楔留めされるように構成された第２テーパー化セグメントと、
第１及び第２テーパー化セグメントの間に延在すると共に第１及び第３直径を下回る直径を有する第１移送セグメントであって、第１支持構造の取付レセプタクルの軸方向の開口部を通じて第１支持構造の取付レセプタクル内に且つこれから外に自由に移動するべくサイズ設定された第１移送セグメントと、
を有することを特徴とするシステム。
【請求項１８】
支柱は、
第２端部と、
第２テーパー化セグメントと第２端部の間に延在すると共に第１及び第３直径を下回る直径を有する第２移送セグメントであって、第２支持構造の取付レセプタクルの軸方向の開口部を通じて第２支持構造の取付レセプタクル内に且つこれから外に自由に運動するべくサイズ設定された第２移送セグメントと、
を更に有することを特徴とする請求項１７に記載のシステム。
【請求項１９】
支柱は固定メカニズムを更に有し、固定メカニズムは、第２テーパー化セグメントの外側表面が第２支持構造の取付レセプタクルの内側表面に対して楔留めされた際に、第２支持構造の取付レセプタクルとの関係における第２テーパー化セグメントの更なる軸方向の移動を防止するべく、固定メカニズムを起動することができるように第２端部の近傍に配置されていることを特徴とする請求項１８に記載のシステム。
【請求項２０】
固定メカニズムは、ナットタイプの留め具と、噛合する一組のねじ山と、を有することを特徴とする請求項１９に記載のシステム。
【請求項２１】
支柱は、第５直径の部分から第６直径の部分まで長手方向軸に沿ってテーパー化された第３テーパー化セグメントを更に有し、第５直径の部分は、第６直径の部分より小さく、且つ、支柱の第１端部と一致していることを特徴とする請求項１７に記載のシステム。
【請求項２２】
第１支持構造に対する着脱自在の装着のために適合可能な取付具を更に有し、取付具は、第１支持構造に対して装着された際に、第１支持構造の取付レセプタクルを形成することを特徴とする請求項１７に記載のシステム。
【請求項２３】
第１支持構造の取付レセプタクルの内側表面は、第１支持構造の取付レセプタクルの半径方向の開口部における大きな直径から第１支持構造の取付レセプタクル内の小さな直径までテーパー化されていることを特徴とする請求項２２に記載のシステム。
【請求項２４】
第２支持構造への着脱自在の装着のために適合可能な取付具を更に有し、取付具は、第２支持構造に対して装着された際に、第２支持構造の取付レセプタクルを形成することを特徴とする請求項１７に記載のシステム。
【請求項２５】
第２支持構造の取付レセプタクルの内側表面は、第２支持構造の取付レセプタクルの半径方向の開口部における大きな直径から第２支持構造の取付レセプタクル内の小さな直径までテーパー化されていることを特徴とする請求項２４に記載のシステム。
【請求項２６】
第２支持構造の取付レセプタクルは軸方向の開口部を含み、
支柱は、第２端部と、第２移送セグメントと、を更に有し、且つ、
第２移送セグメントは、第２テーパー化セグメントと第２端部の間に延在し、且つ、第１及び第３直径の部分より小さい直径を有し、第２移送セグメントは、第２支持構造の取付レセプタクルの軸方向の開口部を通じて第２支持構造の取付レセプタクル内に、且つ、これから外に自由に移動するべくサイズ設定されていることを特徴とする請求項２４に記載のシステム。
【請求項２７】
第２支持構造は患者テーブルのレールを有することを特徴とする請求項２４に記載のシステム。
【請求項２８】
第１支持構造への着脱自在の装着のために適合可能な第１取付具であって、第１支持構造に対して装着された際に、第１支持構造の取付レセプタクルを形成する第１取付具と、
第２支持構造への着脱自在の装着のために適合可能な第２取付具であって、第２支持構造に対して装着された際に、第２支持構造の取付レセプタクルを形成する第２取付具と、
を更に有することを特徴とする請求項１７に記載のシステム。
【請求項２９】
医療装置と、該医療装置に装着されると共に医療装置から延在する細長い移送用の支柱と、を有する医療システムであって、
細長い移送用の支柱は、
第１直径の部分から第２直径の部分まで長手方向軸に沿ってテーパー化された第１テーパー化セグメントであって、第１直径の部分は、第２直径の部分より大きく、且つ、第２直径の部分よりも医療装置に近接して配置されており、且つ、第２直径の部分が第１構造の取付レセプタクルの半径方向の開口部を通じて第１構造の取付レセプタクル内に軸方向に移動すると、第１テーパー化セグメントの外側表面が医療装置を支持する第１構造の取付レセプタクルの内側表面に対して楔留めされるように構成された第１テーパー化セグメントと、
第３直径の部分から第４直径の部分まで長手方向軸に沿ってテーパー化された第２テーパー化セグメントであって、第３直径の部分は、第４直径の部分を上回り、且つ、第４直径の直径よりも第１テーパー化セグメントに近接して配置されており、且つ、第４直径の部分が第２構造の取付レセプタクルの半径方向の開口部を通じて第２構造の取付レセプタクル内に軸方向に移動すると、第２テーパー化セグメントの外側表面が医療装置を支持する第２構造の取付レセプタクルの内側表面に対して楔留めされるように構成された第２テーパー化セグメントと、
第１及び第２テーパー化セグメントの間に延在し、且つ、第１及び第３直径の部分を下回る直径を有する第１移送セグメントであって、第１及び第２構造の支持の間における医療装置の移送のために、第１構造の取付レセプタクルの軸方向の開口部を通じて第１構造の取付レセプタクル内に且つこれから外に自由に移動するべくサイズ設定された第１移送セグメントと、
を有することを特徴とする医療システム。
【請求項３０】
細長い移送用の支柱は、
端部と、
第２テーパー化セグメントと端部の間に延在し、且つ、第１及び第３直径の部分よりも小さい直径を有する第２移送セグメントであって、第１及び第２構造の支持の間における医療装置の移送のために、第２構造の取付レセプタクルの軸方向の開口部を通じて第２構造の取付レセプタクル内に且つこれから外に自由に移動するべくサイズ設定された第２移送セグメントと、
を更に有することを特徴とする請求項２９記載の医療システム。
【請求項３１】
細長い移送支柱は固定メカニズムを更に有し、該固定メカニズムは、第２テーパー化セグメントの外側表面が第２構造の取付レセプタクルの内側表面に対して楔留めされた際に、第２構造の取付レセプタクルとの関係における第２テーパー化セグメントの更なる軸方向の移動を防止するべく、固定メカニズムを起動することができるように端部の近傍に配置されていることを特徴とする請求項３０に記載の医療システム。
【請求項３２】
固定メカニズムは、ナットタイプの留め具と、噛合する一組のねじ山と、を有することを特徴とする請求項３１に記載の医療システム。
【請求項３３】
第１構造への着脱自在の装着のために適合可能な取付具を更に有し、取付具は、第１構造に対して装着された際に、第１構造の取付レセプタクルを形成することを特徴とする請求項２９に記載の医療システム。
【請求項３４】
第１構造の取付レセプタクルは、第１構造の取付レセプタクルの半径方向の開口部における大きな直径の部分から第１構造の取付レセプタクル内の小さな直径の部分までテーパー化されていることを特徴とする請求項３３に記載の医療システム。
【請求項３５】
第２構造への着脱自在の装着ために適合可能な取付具を更に有し、該取付具は第２構造に対して装着された際に、第２構造の取付レセプタクルを形成することを特徴とする請求項２９に記載の医療システム。
【請求項３６】
第２構造の取付レセプタクルは、第２構造の取付レセプタクルの半径方向の開口部における大きな直径の部分から第２構造の取付レセプタクル内の小さな直径の部分までテーパー化されていることを特徴とする請求項３５に記載の医療システム。
【請求項３７】
第２構造の取付レセプタクルは軸方向の開口部を含み、
支柱は、端部と、第２移送セグメントと、を更に有し、且つ、
第２移送セグメントは、第２テーパー化セグメントと端部の間に延在し、且つ、第１及び第３直径の部分より小さい直径を有し、第２移送セグメントは、第１及び第２構造の支持の間における医療装置の移送のために、第２構造の取付レセプタクルの軸方向の開口部を通じて第２構造の取付レセプタクル内に且つこれらから外に自由に移動するべくサイズ設定されていることを特徴とする請求項３５に記載の医療システム。
【請求項３８】
第２構造は患者テーブルのレールを有することを特徴とする請求項３５に記載の医療システム。
【請求項３９】
第１構造への着脱自在の装着のために適合可能な第１取付具であって、第１構造に対して装着された際に、第１構造の取付レセプタクルを形成する第１取付具と、
第２構造への着脱自在の装着のために適合可能な第２取付具であって、第２構造に対して装着された際に、第２構造の取付レセプタクルを形成する第２取付具と、
を更に有することを特徴とする請求項２９に記載の医療システム。
【請求項４０】
医療装置を搬送するためのカートを更に有し、カートは、医療装置を支持するべく第１構造を含むことを特徴とする請求項２９に記載の医療システム。
【発明の詳細な説明】
【技術分野】
【０００１】
本開示は、医療装置用の方法及び付属品に関し、且つ、更に詳しくは、医療装置の移送を円滑に実行する方法及び付属品に関する。
【背景技術】
【０００２】
例えば、診断のための造影及び／又は治療の適用に有用なものなどの多くのタイプの外部医療装置は、しばしば、少なくとも２つの取付又は支持構造の間において移送する必要がある。支持構造の第１のものは、例えば、病院又は診療所内において医療装置を搬送するカートなどの１つの場所から別の場所に医療装置を移送するのに有用なものであってよく、且つ、支持構造の第２のものは、例えば、病室、手術室、又は診断室内において患者用のベッド又はテーブルの近傍に永久的に配置されるものであってよい。
【発明の概要】
【発明が解決しようとする課題】
【０００３】
しばしば、これらの外部医療装置は、その重量が相対的に大きく（或いは、嵩張る場合があり）、この結果、これらの装置の１つの支持構造から別の支持構造への移送を担当する操作者は、その装置の重量を安全に処理するだけでなく、その装置を１つの構造から安全に解放すると共にもう１つの構造に対して安全に取り付けることを保証するべく、特定レベルの体力と協調の感覚を備えている必要がある。従って、医療装置の移送を円滑に実行するための装置及び方法に対するニーズが存在している。
【０００４】
添付の図面は、本開示の特定の方法及び実施形態を例示するためのものであり、且つ、従って、本発明の範囲を限定するものではない。これらの図面は、（特記されていない限り）縮尺が正確ではなく、且つ、以下の詳細な記述における説明との関連において使用されるべく意図されている。以下、同一の符号によって同一の要素を表記している添付図面との関連において、方法及び実施形態について説明することとする。
【図面の簡単な説明】
【０００５】
【図１】本開示の実施形態をそれぞれが利用可能である第１及び第２支持構造との関連における医療システムの斜視図である。
【図２】いくつかの実施形態による装置移送パッケージ又はシステムに包含可能な様々な要素の斜視図である。
【図３】いくつかの実施形態による装置移送パッケージ又はシステムに包含可能な様々な要素の斜視図である。
【図４】いくつかの実施形態による装置移送パッケージ又はシステムに包含可能な様々な要素の斜視図である。
【図５Ａ】本開示のいくつかの方法を示す概略図である。
【図５Ｂ】本開示のいくつかの方法を示す概略図である。
【図５Ｃ】本開示のいくつかの方法を示す概略図である。
【図５Ｄ】本開示のいくつかの方法を示す概略図である。
【図５Ｅ】本開示のいくつかの方法を示す概略図である。
【図６】いくつかの実施形態による支持構造に取り付けられた医療装置の斜視図である。
【発明を実施するための形態】
【０００６】
以下の詳細な説明は、その特性が例示を目的としたものであり、従って、本発明の範囲、適用性、又は構成をなんら限定することを意図したものではない。むしろ、以下の説明は、例示用の方法及び実施形態を実施するための実際的な実例を提供している。当業者は、提供されている例の多くが、利用可能な適切な代替肢を有することを認識するであろう。
【０００７】
図１は、医療装置１００を含む医療システムの斜視図である。装置１００を第１支持構造１１０に取り付けるべく、装置から延在する細長い支柱１２０が示されている。図１は、第１支持構造１１０を、第２支持構造１５０の近傍に転動されてきたカートとして示している。図示の実施形態によれば、第２支持構造１５０は、患者テーブル１０のレールによって形成されており、例えば、医療装置１００から行われる造影剤の注入によって円滑に実施される血管造影などの診断造影のために、この患者テーブル上に患者を配置可能である。尚、医療装置１００は、血管造影のための造影剤注入装置として示されているが、例えば、その他のタイプの造影及び／又は治療の適用に有用な任意のその他のタイプの医療装置を、本開示の医療システムに含んでもよく、且つ／又は、本開示の装置移送システム及び／又は方法から利益を享受するように構成してもよいことに留意されたい。
【０００８】
図１は、装置１００の取付けのために細長い支柱１２０がその内部に挿入されるカート１１０の取付具１１５と、例えば、図５Ｅ及び図６に示されているように、医療装置１００を取り付け可能なレール１５０の取付具１５１と、を更に示している。いくつかの実施形態によれば、支柱１２０は、医療装置１００と一体化されており、且つ、例えば、カート１１０からレール１５０へ、且つ／又は、レール１５０からカート１１０へなど、２つの支持構造の間における装置１００の移送を円滑に実行するべく構成されている。或いは、この代わりに、別個の細長い支柱が、移送を円滑に実行するように構成され、且つ、支柱１２０が、この別個の支柱と相互交換可能となるように構成されるか又はこの別個の支柱を受け入れるように適合される。
【０００９】
図２は、いくつかの実施形態による細長い移送支柱２００の斜視図である。図２は、支柱２００を示しており、この支柱は、長手方向の軸１に沿って実質的にアライメントされており、且つ、第１端部２０１と、第１及び第２テーパー化セグメント２１０、２２０と、これらのテーパー化セグメント２１０、２２０の間に延在する移送セグメント２６０と、を含む。いくつかの実施形態によれば、テーパー化セグメント２１０及び２２０は、支柱２００の截頭円錐部分によって形成され、これらの截頭円錐部分のそれぞれは、実質的に軸１に沿ってアライメントされている。図２は、第２テーパー化セグメント２２０の小さい直径２２４から延在する任意選択の第２移送セグメント２７０を更に示している。第１端部２０１は、任意選択の第３テーパー化セグメント２３０の小さい直径２３５と一致するように示されており、この第３テーパー化セグメントは、直径２３５から大きな直径２３６にテーパー化されており、且つ、医療装置１００の取付ボア（図示されてはいない）内に受け入れられるべく構成されている（図１及び図６）。取付けボアは、支柱２００がその内部に取り付けられた際に支柱２００がカート１１０の取付具１１５内に延在できるように、支柱１２０の端部内に配置してもよく、或いは、取付ボアは、医療装置１００の下部又は側壁内に配置してもよく、且つ、支柱１２０は、支柱１２０を移送支柱２００と交換できるように、そこから着脱自在であってもよい。代替実施形態によれば、前述のように、図１の支柱１２０も、移送支柱２００のように、例えば、第１及び第２テーパー化セグメント２１０、２２０と、少なくとも移送セグメント２６０（並びに、任意選択により、移送セグメント２７０）と、を含むように構成してもよい。
【００１０】
図２を更に参照すれば、第１テーパー化セグメント２１０は、大きな直径２１１から移送セグメント２６０に隣接した小さな直径２１２までテーパー化されるように示されており、且つ、第２テーパー化セグメント２２０は、大きな直径２２３から移送セグメント２７０に隣接した小さな直径２２４までテーパー化されるように示されている。図示の実施形態によれば、テーパー化セグメント２１０、２２０のそれぞれは、例えば、図３及び図４に示されているもののような対応する取付具１１５、１５１の取付レセプタクル内に嵌合するように適合されている。
【００１１】
図３及び図４は、それぞれ、いくつかの実施形態による取付具１１５及び１５１の斜視図である。図３は、長手方向軸３に沿って延在すると共に半径方向の開口部３５１及び軸方向の開口部３５３を含む取付具１１５の取付レセプタクル３０５を示しており、且つ、図４は、長手方向軸４に沿って延在すると共に半径方向の開口部４５１及び軸方向の開口部４５３を含む取付具１５１の取付レセプタクル４０５を示している。いくつかの好適な実施形態によれば、支柱２００の第１テーパー化セグメント２１０は、例えば、半径方向の開口部３５１を通じた直径２１２の軸方向の運動を介して取付レセプタクル３０５内に受け入れられるべく構成されており、且つ、第２テーパー化セグメント２２０は、例えば、半径方向の開口部４５１を通じた直径２２４の軸方向の運動を介して取付レセプタクル４０５内に受け入れられるべく構成されている。それぞれの取付レセプタクル３０５及び４０５内におけるテーパー化セグメント２１０及び２２０の受入及び嵌合については、更に詳細に後述することとする。
【００１２】
いくつかの実施形態によれば、取付レセプタクル３０５及び４０５のそれぞれは、それぞれ、テーパー化された内側表面３５６及び４５６を有しており、これらの内側表面は、それぞれの開口部３５１、４５１における大きな直径からそれぞれのレセプタクル３０５、４０５内の小さな直径までテーパー化されている。内側表面３５６、４５６は、いくつかの実施形態によれば、例えば、好ましくは、アルミニウムである金属や硬質プラスチックなどの相対的に硬い材料から形成してもよい。図２を再度参照すれば、いくつかの実施形態によるテーパー化セグメント２１０、２２０のそれぞれも、同様に、それぞれの内側表面３５６、４５６との摺動係合を許容するべく、金属又は硬質プラスチックなどの十分に硬い材料から形成されてもよいが、いくつかの好適な実施形態によれば、テーパー化セグメント２１０、２２０を形成する材料は、例えば、摩損を回避するべく、内側表面３５６、４５６を形成する材料ほどには硬くない。いくつかの例示用の実施形態によれば、セグメント２１０、２２０、２３０のそれぞれは、例えば、（ＤｕＰｏｎｔ（商標）社から入手可能な）Ｄｅｌｒｉｎ（登録商標）アセタル樹脂などのポリアセタル樹脂のような相対的に硬いプラスチックから形成され、且つ、支柱２００の相対的に硬いコア２９０上に取り付けられており、コアは、ステンレススチールから形成してもよい。
【００１３】
支持構造の間において医療装置１００などの医療装置を移送するのに有用なパッケージ又はシステムに、取付具１１５、１５１及び支柱２００のそれぞれを含めてもよい。図３は、いくつかの実施形態によるカート１１０に対する着脱自在の装着を円滑に実行できるボア３２０を含む取付具１１５を示しているが、いくつかの好適な実施形態によれば、取付具１１５は、カート１１０と一体になったコンポーネントである。図４は、一対の留め具４５と、図１、図５Ａ〜図５Ｅ、及び図６に示されているように、例えば、レール１５０などの支持構造の一部の周りに嵌合するべく構成された溝４５０と、を含む取付具１５１を示しており、留め具４５は、それぞれ、支持構造の一部上の固定場所において取付具１５１を固定するべく、締め付けてもよく、且つ、例えば、レール１５０などの支持構造の一部に沿って取付具１５１の場所を調節するべく、緩めてもよい。
【００１４】
図５Ａは、本開示のいくつかの方法を示す一連の概略図のうちの第１の概略図である。図５Ａは、移送支柱２００が装置１００の下部から下方に延在するように医療装置１００に対して装着された移送支柱２００を示している。図示の実施形態によれば、移送支柱２００は、例えば、第１支持構造５１０の取付具１１５が装置１００を保持及び／又は支持可能なように、医療装置１００に堅固に固定されている。移送支柱２００及び医療装置１００を（図５Ａに示されているように）取付具１１５によって支持された状態とする方式については、図２及び図３を参照して説明可能である。例えば、支柱２００の移送セグメント２６０は、レセプタクル３５０の軸方向の開口部３５３を通じた移送セグメント２６０の運動を容易にする長さＬ１及び直径を有する。いくつかの実施形態によれば、移送セグメント２６０の長さＬ１は、軸方向の開口部３５３の長さよりも長く、且つ／又は、移送セグメント２６０の直径は、軸方向の開口部３５３の幅よりも小さい。いくつかの実施形態によれば、軸方向の開口部３５３は、この軸方向の開口部を通じた、且つ、レセプタクル３０５内への、移送セグメント２６０のガイドを容易にするべく、テーパー化されてもよい。移送セグメントがレセプタクル３０５内に移動したら、第１テーパー化セグメント２１０の小さな直径２１２は、レセプタクル３０５の半径方向の開口部３５１の上方において、実質的にアライメントされた状態となる。次いで、支柱２００の第１テーパー化セグメント２１０の小さな直径２１２は、半径方向の開口部３５１を通じて取付レセプタクル３０５内に軸方向に運動可能であり、この結果、第１テーパー化セグメント２１０の外側表面は、取付レセプタクル３０５の内側表面３５６に対して楔留めされ、且つ、重力により、取付レセプタクル内において保持されることになる。
【００１５】
図５Ａは、装置１００を第１支持構造５１０から取付具１５１が装着された第２支持構造５５０（例えば、図１のレール１５０）に移送するべく、支柱２００を第１支持構造５１０（例えば、図１のカート１１０）の取付具１１５を介して移動させる方向を表す矢印Ａ１を示している。図５Ｂとの関連において図５Ａを参照すれば、矢印Ａ１に沿った取付レセプタクル４０５の軸方向の開口部４５３への進入のために、第２移送セグメント２７０が取付具１１５によってアライメントされていることが理解されよう。いくつかの代替実施形態によれば、移送支柱２００は、第２移送セグメント２７０を必要とすることなしに、第２テーパー化セグメント２２０の小さい直径２２４の近傍において終端してもよく、この場合には、取付具１５１の取付レセプタクル４０５は、いくつかの実施形態によれば、軸方向の開口部４５３を含む必要がないことに留意されたい。但し、いくつかの好適な実施形態は、例えば、図５Ｂに示されているように、取付レセプタクル４０５の半径方向の開口部４５１の上方における第２テーパー化セグメント２２０のアライメントを円滑に実行するべく、第２移送セグメント２７０を含む。図５Ａを更に参照すれば、両方向矢印「ｆ」は、矢印Ａ１と略直交していると共に、図５Ａに示されているように、半径方向の開口部３５１及び４５１を相互にオフセットさせるべく、取付具１１５、１５１のうちの１つ又は両方を当初移動させておいてもよい方向を示している。
【００１６】
図５Ｂは、取付具１５１を移動させてもよい方向を表す矢印Ｂ１を更に示しており、矢印Ｂ１の方向は、図５Ａの矢印Ａ１が表すものと略直交している。図示の方法によれば、取付具１１５及び支柱２００は、支柱２００のテーパー化セグメント２２０の周りにおける取付レセプタクル４０５の嵌合を締め付けるべく、取付具１５１が矢印Ｂ１に沿って移動している間、静止状態に留まる。図２及び図４を再度参照すれば、支柱２００の第２テーパー化セグメント２２０は、半径方向の開口部４５１が軸方向においてセグメント２２０の小さな直径２２４を過ぎて矢印Ｂ１に沿って移動した際に（或いは、この逆も又同様であって、小さな直径２２４が半径方向の開口部４５１を過ぎてレセプタクル４０５内に移動した際に）、第２テーパー化セグメントの外側表面が取付レセプタクル４０５の内側表面４５６に対して楔留めされるように構成されていることが理解されよう。又、図５Ｂは、取付具１５１及び第２支持構造５５０が相対的に静止した状態に留まっている間に、取付具１５１との関係において（支柱２００及び装置１００に沿って）取付具１１５を移動させてもよい方向を表す矢印Ｂ２をも示している。
【００１７】
図５Ｃは、支柱２００のセグメント２２０の周りにおける取付レセプタクル４０５の締め付けられた嵌合を示しており、これは、重力と共に、医療装置１００を支持するべく十分なものであろう。図５Ｃは、レセプタクル４０５内において支柱２００を更に固定するべく任意選択の固定部材２０５を回転させてもよい方向を表す矢印Ｃ１を更に示している。図２を再度参照すれば、固定部材２０５は、任意選択の固定メカニズム２７５の一部として示されており、この固定メカニズムは、第２移送セグメント２７０上に形成されており、且つ、噛合するねじ山２０７の組を更に含む。図示の実施形態によれば、固定部材２０５は、軸方向の開口部４５１を通じたレセプタクル４０５から外への支柱２００の第２テーパー化セグメント２２０の軸方向の運動を防止するべく、図５Ｄに示されているように、ねじ山２０７と係合するナットタイプの留め具である。図２を更に参照すれば、第２移送セグメント２７０の長さＬ２と、その直径とは、第２移送セグメント２７０が、図５Ｂに示されているように、レセプタクル４０５の軸方向の開口部４５３を通過できるようなものになっていることが理解されよう。
【００１８】
図５Ｄは、取付具１５１が、図５Ｃに示されている位置から移動した方向を表す矢印Ｄ１を示しており、この運動は、矢印Ｂ１に沿った以前の運動に対して平行である。図示の方法によれば、矢印Ｄ１に沿った取付具１５１の運動は、第１支持構造５１０の取付具１１５との関係において支柱２００及び医療装置１００をも運動させ、これにより、図５Ｅに示されているように、第１支持構造５１０が支柱２００及び医療装置１００から分離される際に、支柱２００の第１テーパー化セグメント２１０の周りにおける取付レセプタクル３０５の嵌合を緩め、且つ、取付レセプタクル３０５の軸方向の開口部３５３を通過するように支柱２００の移送セグメント２６０を位置決めするべく機能する。支柱２００が固定部材２０５を含んでいない代替実施形態によれば、或いは、部材２０５が締め付けられない代替方法によれば、まず、支柱２００の第２テーパー化セグメント２２０の周りにおけるレセプタクル４０５の嵌合を締め付け、且つ、次いで、支柱２００の第１テーパー化セグメント２１０の周りにおけるレセプタクル３０５の嵌合を緩めるべく、矢印Ｂ１及びＤ１に沿った別個の運動を単一の運動に組み合わせてもよいことに留意されたい。
【００１９】
図５Ｅは、第１支持構造５１０が支柱２００及び医療装置１００から分離される、図５Ａの矢印Ａ１によって表記されたものとは反対の方向を表す矢印Ｅ１を示している。図５Ｅ及び図６は、例えば、装置１００が患者の診断造影及び／又は治療の適用を円滑に実行するべく動作している間に、第２支持構造５５０が医療装置１００を支持するように、取付具１５１内に保持された支柱２００を示しており、患者も、第２支持構造５５０によって支持されてもよい。
【００２０】
図５Ａ〜図５Ｅは、図５Ｅから図５Ａへという逆の順番において、例えば、医療装置１００を別の場所に搬送するべく、第２支持構造５５０から第１支持構造５１０に医療装置１００を移送する本開示の方法を更に示している。図５Ｅは、第１支持構造５１０及び取付具１１５を医療装置１００、支柱２００、及び取付具１５１の近傍に戻してもよい方向を表す矢印Ｅ２を示している。図５Ｄは、支柱２００の移送セグメント２６０が軸方向の開口部３５３を介して取付レセプタクル３０５に進入するように、矢印Ｅ２に沿って移動した取付具１１５を示している。図５Ｄは、支柱２００が依然として取付具１５１の取付レセプタクル４０５内において固定部材２０５を介して固定された状態にある間に、支柱２００の第１テーパー化セグメント２１０の周りにおける取付具１１５の取付レセプタクル３０５の嵌合を締め付けるべく、取付具１５１を移動させてもよい方向を表す矢印Ｄ２を更に示している。支柱２００の周りにおける取付レセプタクル３０５の締め付けられた嵌合が図５Ｃに示されている。図５Ｃは、取付具１５１のレセプタクル４０５内における支柱２００の固定を解放するべく、矢印Ｃ２に沿って回転される固定部材２０５を更に示しており、且つ、図５Ｂは、支柱２００の第２テーパー化セグメント２２０の周りにおけるレセプタクル４０５の嵌合を緩めるべく取付具１５１を移動させる方向を表す矢印Ｂ２を示している。従って、要すれば、矢印Ｄ２及びＢ２によって表された方向における取付具１５１の運動は、まず、支柱２００の第１テーパー化セグメント２１０の周りにおけるレセプタクル３０５の嵌合を締め付け、且つ、次いで、支柱２００の第２テーパー化セグメント２２０の周りにおけるレセプタクル４０５の嵌合を緩めるべく、機能する。矢印Ｂ１及びＤ１との関係において前述したように、固定部材２０５が存在しないか又は予め締め付けられていない場合には、同様に、矢印Ｂ２及びＤ２に沿った運動を単一の運動に組み合わせてもよい。最後に、図５Ａを参照すれば、矢印Ａ２は、医療装置１００と、装着された支柱２００と、を第２支持構造５５０から分離するべく、取付具１１５を移動させる方向を表している。支柱２００が第２移送セグメント２７０を含んでいる図示の実施形態によれば、図５Ｂに示されている位置への矢印Ｂ２に沿った運動により、移送セグメント２７０は、取付レセプタクル４０５の軸方向の開口部４５３を通過するように、アライメントされることに留意されたい。
【００２１】
個別の取付具１５１及び１１５を運動させるべく、支持構造１１０／５１０及び１５０／５５０を運動させるものと本開示から推測することも可能であるが、本発明の実施形態は、これに限定されるものではないことに留意されたい。例えば、支持構造１１０／５１０及び１５０／５５０のいずれか又はすべてを、例えば、図５Ａ〜図５Ｅの関連する矢印Ａ１／２、Ｂ１／２、Ｄ１／２、Ｅ１／２のいずれか又はすべてに沿った対応する取付レセプタクル３０５、４０５の独立した運動を許容するように、適合させてもよく、このような独立的な運動は、例えば、支持構造に結合されると共にその内部に取付レセプタクルが形成されたフィードバック制御されたアームを関節接続することにより、円滑に実行可能であろう。更には、矢印Ａ１／２、Ｅ１／２、及び矢印Ｂ１／２、Ｄ１／２と関連する運動は、好ましくは、それぞれ、水平方向及び垂直方向であるが、いくつかの代替方法によれば、これらの運動は、水平方向及び垂直方向から傾斜させてもよいものと考えられる。
【００２２】
以上の詳細な説明においては、特定の実施形態を参照し、本発明について説明した。但し、添付の請求項に規定されている本発明の範囲を逸脱することなしに、様々な変更及び変形を実施可能であることを理解されたい。例えば、取付具を対応する支持構造に装着する方法に関係した本明細書に記述されている取付具の特定の構成は、その特性が例示を目的としたものに過ぎず、従って、その他の構成も本発明の実施形態にとって好適であろう。
【図１】
2013505064.tif 000003
【図２】
2013505064.tif 000004
【図３】
2013505064.tif 000005
【図４】
2013505064.tif 000006
【図５Ａ】
2013505064.tif 000007
【図５Ｂ】
2013505064.tif 000008
【図５Ｃ】
2013505064.tif 000009
【図５Ｄ】
2013505064.tif 000010
【図５Ｅ】
2013505064.tif 000011
【図６】
2013505064.tif 000012
【国際調査報告】
2013505064.tif 000013
2013505064.tif 000014
2013505064.tif 000015
2013505064.tif 000016